(57)【要約】      （修正有）【課題】就寝の途中で寝返りの序等に横臥の姿勢を崩さず、頭部支持高さを所定の範囲内にて無段階に変えることができる枕を構造が簡単で安価な枕として提供する。【解決手段】平面図で見れば実質的に長方形であり、正面図で見れば実質的に前記長方形の一方の短辺部より他方の短辺部へ向けて横方向に高さが漸増する台形である袋の中に押圧により弾性的に縮小するクッション材の細片が装填されており、前記一方の短辺部と前記他方の短辺部の間に前記クッション材の細片の横方向の移動を制限する仕切りが設けられている枕１０である。クッション材の細片は、一つの実施例として、スポンジチップと羽毛を３０％対７０％の比率で混合したものであってよい。【選択図】図１
0003214940.tif 000002
【実用新案登録請求の範囲】
【請求項１】
平面図で見れば実質的に長方形であり、正面図で見れば実質的に前記長方形の一方の短辺部より他方の短辺部へ向けて横方向に高さが漸増する台形である袋の中に押圧により弾性的に縮小するクッション材の細片が装填されており、前記一方の短辺部と前記他方の短辺部の間に前記クッション材の細片の横方向の移動を制限する仕切りが設けられていることを特徴とする枕。
【請求項２】
上記のクッション材の細片はスポンジチップと羽毛を３０％対７０％の比率で混合したものであることを特徴とする請求項１に記載の枕。
【考案の詳細な説明】
【技術分野】
【０００１】
本考案は、人が就寝時に頭部の下に敷く枕に係り、特に頭部を支持する高さを無段階に変えることができる枕に係る。
【背景技術】
【０００２】
頭部を支持する高さを変えることができる枕としては、以下のようなものが提案されている。
特開２０１６-２０２４２９号公報には、頭部を或る比較的低い高さに支持する長方形状クッション体の２枚がそれらの一辺に沿って繋ぎ合わされ、２枚の互に繋ぎ合わされたクッション体が扁平に開かれ、厚みがクッション体１枚分で広さがクッション体２枚分である枕として使用される状態と、２枚のクッション体が繋ぎ目に沿って互に折り返されて重ね合わされ、厚みがクッション体２枚分で広さがクッション体１枚分である枕として使用される状態との間で、使用状態を変更できるようになっている枕が提案されている。
特開２０１６-１４０７３８号公報には、頭部が載置されるクッション部がＸ型リンクにより支持基板上に支持され、Ｘ型リンクの伸縮調整により支持基板に対するクッション部の隔置距離を変えることにより、クッション部による頭部の支持高さが変えられるようになっている枕が提案されている。
特開２０１４-２００４４０号公報には、頭部が載置される長方形状のクッション部がその一辺部にて柔軟に湾曲するＵ字状部を経てクッション部の下方に延在する長方形状の支持基板部に繋がっており、クッション部の前記一辺部とは反対の他辺部の下面に枢着されて支持基板部へ向けて下方へ延在する支持棒の下端が支持基板部に沿って設けられた歯状溝の歯のいずれかに選択的に係止されることにより支持基板に対するクッション部の傾斜角が変えられ、クッション部による頭部の支持高さが変えられるようになっている枕が提案されている。
特開２０１２-１７０８１１号公報には、その一つの実施例として、クッション体が左半部（または右半部）で比較的小さい厚みを呈し、右半部（または左半部）で比較的大きい厚みを呈し、比較的小さい厚みを呈する部分に頭部を載せるか、比較的大きい厚みを呈する部分に頭部を載せるかによって、頭部の支持高さが変えられるようになっている枕が提案されている。
特開２０１１-２５１０９４号公報には、細粒状のクッション材を装填される長方形状の袋の両側縁部が中央の主部よりクリップによって細長いクッション材貯蔵部として仕切られるようになっており、クリップを弛め、細粒状クッション材の一部を主部とクッション材貯蔵部の間に選択的に移動させることにより、主部が呈する枕による頭部の支持高さが変えられるようになっている枕が提案されている。
特開２０１１-１０４３１９号公報には、上記の特開２０１６−２０２４２９号公報におけると同様に、長方形状のクッション体の２枚がそれらの一辺に沿って互に連結され、２枚のクッション体が広げて使用されるか、折り重ねて使用されるかによって、頭部の支持高さが変えられるようになっている枕であるが、２枚のクッション体の厚みが互に異なっており、２枚のクッション体を広げ、その一方に頭部を載置するか、他方に頭部を載置するか、２枚のクッション体を重ねて使用するかによって、頭部の支持高さが３通りに変えられるようになっている枕が提案されている。
【先行技術文献】
【特許文献】
【０００３】
【特許文献１】特開２０１６−２０２４２９号公報
【特許文献２】特開２０１６-１４０７３８号公報
【特許文献３】特開２０１４-２００４４０号公報
【特許文献４】特開２０１２-１７０８１１号公報
【特許文献５】特開２０１１-２５１０９４号公報
【特許文献６】特開２０１１-１０４３１９号公報
【考案の概要】
【考案が解決しようとする課題】
【０００４】
上記の特許文献１、４、６による枕は、構造が簡単であり、頭部支持高さの変更も簡単であるが、高さの変更は当初より定まっている２種類または３種類のうちのいずれかを選択する変更である。上記の特許文献２、３による枕は、頭部支持高さを所定の範囲内にてほぼ無段階に変更できるものであるが、構造が複雑であり、それなりに高価につくものである。上記の特許文献５による枕は、頭部支持高さを所定の範囲内にて無段階に変更でき、構造的にも左程複雑ではなく、価格的にも比較的安価に収まるものと思われるが、頭部支持高さの変更には、クリップの解除、主部とクッション材貯蔵部の間での細粒状クッション材の移動、主部とクッション材貯蔵部の境のクリップ装着部には細粒状クッション材が残留しないように注意してのクリップの再締結という、かなり厄介な操作を要するものである。
【０００５】
また上記の特許文献１、２，３，５による枕では、頭部支持高さを変えるには、枕の使用を一旦止めなければならず、従って就寝の途中で寝返りの序等に横臥の姿勢を崩さず、頭部支持高さを変えるようなことはできない。この点に関し、上記の特許文献４、６による枕では、就寝の途中で寝返りの序等に横臥の姿勢を崩さず、頭部支持高さを変えることはできるが、それは頭部支持高さを２種類の間で一挙に変えるものであり、無段階に変えるものではない。
【０００６】
本考案は、上記の事情に着目し、就寝の途中で寝返りの序等に横臥の姿勢を崩さず、頭部支持高さを所定の範囲内にて無段階に変えることができる枕を構造が簡単で安価な枕として提供することを課題としている。
【課題を解決するための手段】
【０００７】
上記の課題を解決すべく、本考案は、平面図で見れば実質的に長方形であり、正面図で見れば実質的に前記長方形の一方の短辺部より他方の短辺部へ向けて横方向に高さが漸増する台形である袋の中に押圧により弾性的に縮小するクッション材の細片が装填されており、前記一方の短辺部と前記他方の短辺部の間に前記クッション材の細片の横方向の移動を制限する仕切りが設けられていることを特徴とする枕を提供するものである。
【０００８】
上記のクッション材の細片は、一つの実施例として、スポンジチップと羽毛を３０％対７０％の比率で混合したものであってよい。
【考案の効果】
【０００９】
上記の如く、平面図で見れば実質的に長方形であり、正面図で見れば実質的に前記長方形の一方の短辺部より他方の短辺部へ向けて横方向に高さが漸増する台形である袋の中に押圧により弾性的に縮小するクッション材の細片が装填されており、前記一方の短辺部と前記他方の短辺部の間に前記クッション材の細片の横方向の移動を制限する仕切りが設けられている枕であれば、頭部が前記の実質的に長方形の一方の短辺部の近傍より他方の短辺部の近傍に至るどの位置に載置されても、袋は頭部が載置された部分にて押圧により弾性的に縮小するクッション材の細片より弾性的反発力を受けつつ頭部に沿って局部的に陥没し、袋の陥没変形とクッション材の細片の押圧による局部的縮小変形による反発力が頭部より枕に及ぼされる重力と釣り合うところで、頭部は枕により支持され、クッション材の細片の袋内における横方向の移動は仕切りにより制限されているので、頭部の支持高さは、頭部が前記の実質的に長方形の一方の短辺部の近傍より他方の短辺部の近傍に近づくに連れて無段階に増大する。この場合、押圧により弾性的に縮小するクッション材の細片の弾性度が適宜に調節されれば、頭部の載置による袋の陥没変形は陥没の上縁部にて適度の滑らかさの凸形状を呈し、この凸形状にて袋は頭部より適度の漸遠度にて離れ、頭部に十分な広がりの支持面を呈しつつ、頭部の左右での袋の当接具合の差は僅少となるので、袋の上面が頭部の支持高さを適度に増減する程度に横方向に傾斜していても、頭部が左右方向に違和感を感じるような力を枕より受けることはない。
【００１０】
尚、ここで枕の外形が平面図で見れば実質的に長方形であり、正面図で見れば実質的に前記長方形の一方の短辺部より他方の短辺部へ向けて横方向に高さが漸増する台形をなすとの記載における「実質的に」とは、特徴とする形状をその機能に照らした実質において定義すればということであり、平面図や正面図で見た枕の形状が幾何学的に正確な長方形や台形ではなく、縁や角は枕としての実用的見地から滑らかな凸形状に丸められていてよく、また枕の上面、底面、側面は幾何学的に正確な平面ではなく、枕が袋の中に押圧により弾性的に縮小するクッション材の細片が装填されているものであることから明らかな如く、枕としての好ましい柔軟性の範囲内で、幾何学的に正確な平面から多少凸面状に膨出した曲面を呈していてもよいということである。
【００１１】
また、頭部の載置による袋の陥没変形が陥没の上縁部にて適度の滑らかさの凸形状を呈し、この凸形状にて袋が頭部より適度の漸遠度にて離れ、頭部に十分な広がりの支持面を呈しつつ、頭部の左右での袋の当接具合の差が僅少となり、袋の上面が頭部の支持高さを適度に増減する程度に横方向に傾斜していても、頭部が左右方向に違和感を感じるような力を枕より受けることがないようにするクッション材細片の弾性度の調整は、クッション材細片が、一つの実施例として、スポンジチップと羽毛を３０％対７０％の比率で混合したものとされれば、容易に達成される。
【図面の簡単な説明】
【００１２】
【図１】本考案による高さ無段階変更型枕を、一つの実施例について、平面図、正面図、左側面図、右側面図の対比において示す図である。
【図２】図１に示す高さ無段階変更型枕の使用状態の例を示す断面図（平面図で見て実質的に長方形の一方の短辺部より他方の短辺部へ向かう横方向の断面図）であり、図Ａは頭部が枕の前記一方の短辺部の近傍に載置された使用状態を示し、図Ｂは頭部が枕の前記一方の短辺部と前記他方の端部の中間の位置に載置された使用状態を示し、図Ｃは頭部が枕の前記他方の短辺部の近傍に載置された使用状態を示している。
【考案を実施するための形態】
【００１３】
上記の通り、本考案による枕は、袋の中に押圧により弾性的に縮小するクッション材の細片が装填されているものであり、添付の図１に例示する如く、枕１０の外形は、平面図で見れば実質的に長方形であり、正面図で見れば実質的に前記長方形の一方の短辺部より他方の短辺部へ向けて横方向に高さが漸増する台形をなすものである。
【００１４】
枕１０は、図２において断面にて示されている如く、平面図で見れば実質的に長方形であり、正面図で見れば実質的に前記長方形の一方の短辺部より他方の短辺部へ向けて横方向に高さが漸増する台形であるその外形に沿った袋１２の中に押圧により弾性的に縮小するクッション材の細片１４が装填された構造に作られている。クッション材の細片１４は、一つの実施例として、スポンジチップと羽毛を３０％対７０％の比率で混合したものとされてよい。袋１２内には、平面図で見た実質的長方形の一方の短辺部１２aと他方の短辺部１２bの間でクッション材の細片１４が横方向に移動することを制限する仕切り１６a，１６b，１６cが設けられている。かかる仕切りは、袋１２内におけるクッション材の細片１４の横方向移動を実質的に制限する適宜の数だけ設けられてよい。
【００１５】
枕１０上に頭部１８が載置されると、その位置が図２に図Ａ、Ｂ、Ｃとして例示するように一方の短辺部１２aの近傍より他方の短辺部１２bの近傍に至るどの位置であっても、袋１２は頭部１８が載置された部分１２c，１２d，１２eにて押圧により弾性的に縮小するクッション材の細片１４より弾性的反発力を受けつつ頭部１８に沿って局部的に陥没し、袋１２の陥没変形とクッション材の細片１４の押圧による局部的縮小変形による反発力が頭部１８より及ぼされる重力と釣り合うところで、頭部１８は枕１０により支持され、その支持高さは、頭部１８が一方の短辺部１２aの近傍より他方の短辺部１２bの近傍に近づくに連れて無段階に増大する。
【００１６】
この場合、クッション材の細片１４が、一つの実施例として、スポンジチップと羽毛を３０％対７０％の比率で混合したものとされること等により、クッション材の細片１４の弾性度が適宜に調節されれば、頭部１８の載置による袋１２の陥没変形は、その上縁部１２f，１２g，１２hにて適度の滑らかさの凸形状を呈し、袋１２は頭部１８より適度の漸遠度にて離れ、頭部１８に十分な広がり面積による支持を与えつつ、頭部１８の左右での袋１２の当接具合の差は僅少となるので、袋１２の上面１２iが頭部１８の支持高さを適度に増減する程度に左右に傾斜していても、頭部１８が左右方向に違和感を感じるような力を枕１０より受けることはない。
【００１７】
以上に説明した本考案の実施例について、本考案の範囲内にて種々の修正が可能であることは当業者にとって明らかであろう。
【符号の説明】
【００１８】
１０…枕、１２…袋、１２a…袋の一方の短辺部、１２b…袋の他方の短辺部、１２c，１２d，１２e…袋の頭部が載置された部分、１２f，１２g，１２h…袋の陥没変形の上縁部、１２i…袋の上面、１４…クッション材の細片、１６a，１６b，１６c…仕切り、１８…頭部
【図１】
0003214940.tif 000003
【図２】
0003214940.tif 000004